(57)【特許請求の範囲】
【請求項１】
遊技球が通過可能な遊技領域を有する遊技盤と、前記遊技領域に設けられたアウト口と、前記遊技領域内に配設された入賞口およびアタッカ装置と、任意の設置部に着脱可能に取り付けられた直方体形状の検出センサとを備え、前記検出センサによって遊技を阻害する不正を検知可能なパチンコ機において、
前記設置部に、前記検出センサの短辺側の一端面に当接する第１規制壁と、前記検出センサの長辺側の両端面に当接する一対のフック片と、前記第１規制壁と前記フック片の間で前記検出センサの少なくとも一方の長辺側端面に当接する第２規制壁とを突設し、前記フック片を前記検出センサの中心に対して前記第１規制壁から遠ざかる位置に配置すると共に、前記フック片の先端に形成された爪部を前記検出センサの外表面に係止させたことを特徴とするパチンコ機。
【請求項２】
請求項１の記載において、前記検出センサが磁石の磁力を検出する磁気センサであり、前記アタッカ装置の外殻をなす筐体の底面に前記第１規制壁と前記第２規制壁および前記フック片を設け、このアタッカ装置が前記アウト口の上方に配置されていると共に、前記筐体の底面を前記アウト口に連通させたことを特徴とするパチンコ機。
【請求項３】
請求項２の記載において、前記第１規制壁を前記アウト口の入口に最も近い前方位置に配置したことを特徴とするパチンコ機。
【発明の詳細な説明】
【技術分野】
【０００１】
本発明は、遊技球を用いて遊技を行うパチンコ機に係り、特に、磁石等を使用した不正行為を検出するための検出センサが搭載されたパチンコ機に関するものである。
【背景技術】
【０００２】
パチンコ機の中には、遊技盤の盤面（前面）をガイドレールによって略円形状の遊技領域を区画すると共に、この遊技領域内に可変表示装置や入賞口（始動入賞口と一般入賞口）やアタッカ装置等を配設し、遊技領域に向けて発射された遊技球が始動入賞口に入賞したことを契機に抽選を行い、その抽選結果に基づいて可変表示装置が演出図柄の変動表示と停止表示を行うようにした機種が数多く存在する。抽選結果には当選（当たり）と非当選（ハズレ）があり、抽選結果が当たりの場合には、可変表示装置の表示画面に所定の演出図柄の組合せが表示され、通常モードから特別遊技モードへと移行する。この特別遊技モードでは、アタッカ装置の開閉扉が開放動作して大入賞口を露呈させるので、露呈した大入賞口に遊技球が入りやすくなって多くの賞球を獲得できるようになる。なお、遊技領域を流下する遊技球が始動入賞口や大入賞口等のいずれの入賞口にも入賞しないと、この遊技球は、遊技領域の最下部位置に設けられたアウト口から遊技盤の裏面側へ排出されるようになっている。
【０００３】
このようなパチンコ機において、遊技盤の盤面を覆う透明板（ガラス板）に磁石を近付けて遊技球を始動入賞口等に直接誘導したり、遊技領域内の所定箇所に多数の遊技球を集めて始動入賞口等に入賞しやすくする（所謂ブドウ状態を作る）といった不正行為（ゴト行為）が問題となっている。そこで近年のパチンコ機では、かかる磁石を用いた不正行為を防止するために、始動入賞口の上方に位置する遊技盤の裏面や、遊技盤の背面側に設けられた基板ユニット等、遊技盤の任意箇所に適宜の固定手段を用いて検知センサ（磁気センサ）を取り付け、この検知センサで磁石の磁力を検出して遊技球の発射を停止させる等の対策が講じられている。例えば、特許文献１に開示されたパチンコ機では、遊技領域内に配設されたセンター役物ユニットの所定箇所にセンサ位置決め部を設け、直方体形状の検出センサを有底箱形状のケース内に収納した状態で、このケースをセンター役物ユニットのセンサ位置決め部にネジ止め固定するようにしている。
【先行技術文献】
【特許文献】
【０００４】
【特許文献１】特開２０１０−２５２９２８号公報
【発明の概要】
【発明が解決しようとする課題】
【０００５】
特許文献１に開示された従来のパチンコ機では、検出センサを収納したケースを遊技盤の任意箇所にネジ止めしているため、検知センサの検出面と透明板との位置関係が適正に保持され、検知センサで均一な精度での検出を行うことができる。しかしながら、専用のケースを用いて検出センサを取り付ける必要があるため、ケースによって部品コストが高騰したり、組立作業が煩雑になるという難点があった。
【０００６】
本発明は、このような従来技術の実情に鑑みてなされたもので、その目的は、不正行為を検知する検出センサを脱落し難く簡単に取り付けることができるパチンコ機を提供することにある。
【課題を解決するための手段】
【０００７】
上記の目的を達成するために、本発明は、遊技球が通過可能な遊技領域を有する遊技盤と、前記遊技領域に設けられたアウト口と、前記遊技領域内に配設された入賞口およびアタッカ装置と、任意の設置部に着脱可能に取り付けられた直方体形状の検出センサとを備え、前記検出センサによって遊技を阻害する不正を検知可能なパチンコ機において、前記設置部に、前記検出センサの短辺側の一端面に当接する第１規制壁と、前記検出センサの長辺側の両端面に当接する一対のフック片と、前記第１規制壁と前記フック片の間で前記検出センサの少なくとも一方の長辺側端面に当接する第２規制壁とを突設し、前記フック片を前記検出センサの中心に対して前記第１規制壁から遠ざかる位置に配置すると共に、前記フック片の先端に形成された爪部を前記検出センサの外表面に係止させるようにした。
【０００８】
このように構成されたパチンコ機では、直方体形状の検出センサを設置部に取り付ける場合、検出センサをその長手方向に沿って第１規制壁側から一対のフック片間に向けて斜めに挿入すると、検出センサの外壁面が第１規制壁と第２規制壁および両フック片で囲まれた凹所に嵌り込むため、専用のケースを用いなくても検出センサを設置部に簡単に取り付けることができる。また、かかる取り付け状態において、検出センサの長手方向の一端部近傍が第１規制壁と第２規制壁に当接すると共に、検出センサの長手方向の他端部近傍が両フック片の爪部に係止しており、設置部に取り付けられた検出センサに指や爪が引っ掛かり難くなるため、検出センサの脱落を防止して取り外し難くすることができる。
【０００９】
上記の構成において、検出センサが取り付けられる設置部の場所は特に限定されないが、この検出センサが磁石の磁力を検出する磁気センサである場合、アタッカ装置の外殻をなす筐体の底面に第１規制壁と第２規制壁およびフック片を設け、このアタッカ装置がアウト口の上方に配置されていると共に、筐体の底面をアウト口に連通させることが好ましい。このような構成を採用すると、アタッカ装置の開閉扉を駆動する電磁ソレノイドからの磁力の影響を受けない箇所に磁気センサを取り付けることができると共に、ゴト行為による磁石からの磁力を磁気センサで精度良く検出することができる。
【００１０】
この場合において、第１規制壁をアウト口の入口に最も近い前方位置に配置すると、遊技領域を覆う透明板（ガラス板）に対して磁気センサの検出面を近付けて検出精度を高めることができると共に、不正行為を働こうとする者がアウト口から指や異物を挿入して磁気センサを取り外そうとしても、第１規制壁の存在によって磁気センサの取り外しを極めて困難にすることができる。
【発明の効果】
【００１１】
本発明のパチンコ機は、遊技を阻害する不正行為を検出する検出センサを設置部に取り付ける場合、検出センサをその長手方向に沿って第１規制壁側から一対のフック片間に向けて斜めに挿入すると、検出センサの外壁面が第１規制壁と第２規制壁および両フック片で囲まれた凹所に嵌り込むため、専用のケースを用いなくても検出センサを設置部に簡単に取り付けることができる。また、かかる取り付け状態において、検出センサの長手方向の一端部近傍が第１規制壁と第２規制壁に当接すると共に、検出センサの長手方向の他端部近傍が両フック片の爪部に係止しており、設置部に取り付けられた検出センサに指や爪が引っ掛かり難くなるため、検出センサの脱落を防止して取り外し難くすることができる。
【図面の簡単な説明】
【００１２】
【図１】本発明の実施形態例に係るパチンコ機の外観斜視図である。
【図２】該パチンコ機の正面図である。
【図３】該パチンコ機の背面図である。
【図４】該パチンコ機に備えられるアタッカユニットの正面図である。
【図５】該アタッカユニットの底面図である。
【図６】該アタッカユニットを上面側から見て示す斜視図である。
【図７】該アタッカユニットを底面側から見て示す斜視図である。
【図８】図４のVIII−VIII線に沿う断面図である。
【図９】該アタッカユニットと遊技盤の一部を底面側から見て示す斜視図である。
【図１０】図５のアタッカユニットから検出センサを取り除いて示す底面図である。
【図１１】図７のアタッカユニットから検出センサを取り除いて示す斜視図である。
【図１２】該アタッカユニットの設置部に対する検出センサの取り付け作業を示す説明図である。
【発明を実施するための形態】
【００１３】
発明の実施の形態について図面を参照して説明すると、図１と図２に示すように、本実施形態例に係るパチンコ機は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１４】
機枠１の左側枠部には上側軸受け体５ａと下側軸受け体５ｂが固着されており、この下側軸受け体５ｂよりも下方の左下隅部には大型のスピーカ６が配設されている。一方、本体枠２の左側枠部の上下両端には第１ピン（図示せず）が設けられており、これら両第１ピンが対応する上下の軸受け体５ａ，５ｂに軸支されることにより、本体枠２は機枠１に対して開閉自在となっている。
【００１５】
本体枠２の上部内側には遊技盤７が収納されており、この遊技盤７の盤面（前面）は透明板４を透して目視可能となっている。図２に示すように、遊技盤７はその盤面に遊技領域８を有しており、遊技領域８はガイドレール９等によって略円形状に区画形成されている。この遊技領域８には、センター役物ユニット等と呼ばれる可変表示装置１０と、一対の始動入賞口１１，１２と、複数の一般入賞口１３と、通過ゲートであるスルーチャッカ１４と、大入賞口を有するアタッカ装置１５と、アウト口１６と、図示せぬ遊技釘や風車等が設けられている。また、遊技領域８よりも下方の本体枠２には発射装置（図示せず）が配設されており、この発射装置から遊技球が遊技領域８に向けて打ち出されるようになっている。
【００１６】
遊技領域８内に設けられた上記各部材について簡単に説明すると、可変表示装置１０の下辺側にはステージ１８が設けられており、一対の始動入賞口１１，１２はステージ１８の真下位置に上下二段に積層状態で配置されている。上段側の始動入賞口１１は可動片を持たない非作動式の入賞口であるが、下段側の始動入賞口１２は一対の可動片を有する作動式（伝導チューリップ構造）の入賞口となっている。そして、遊技領域８を流下する遊技球が両始動入賞口１１，１２のいずれか一方に入賞すると、それを契機として特別図柄表示の抽選が行われ、可変表示装置１０の表示画面１０ａ上で演出用図柄の変動表示および停止表示が行われる。また、遊技球がスルーチャッカ１４を通過したことを契機として普通図柄表示の抽選が行われ、その抽選結果が当たりの場合に始動入賞口１２の可動片を一時的に開放して遊技球の入球を許可するようになっている。
【００１７】
アタッカ装置１５は、始動入賞口１１，１２に遊技球が入賞したことを契機に行われる特別図柄表示の抽選の結果、当たりとなって大当たり遊技状態へ移行した場合に作動される装置である。具体的には、特別図柄表示の抽選結果が当たりの場合、可変表示装置１０の表示画面１０ａ上で演出用図柄の変動停止を例えば「７７７」のような表示態様にて停止させると共に、アタッカ装置１５が複数回繰り返し開放動作して大入賞口が開口される。アタッカ装置１５は１回の開放動作について例えば３０秒通過するまで、あるいは遊技球が大入賞口に例えば１０個入るまで開放状態を維持し、かかる開放動作を例えば１５回繰り返した後に大当たりが終了する。なお、始動入賞口１１，１２に遊技球が入ると、特別図柄表示の抽選が行われると共に、所定個数の遊技球が賞球として払い出されるが、一般入賞口１３に遊技球が入った場合には、所定個数の遊技球の払い出しのみが行われる。そして、いずれの始動入賞口１１，１２や一般入賞口１３にも入らなかった遊技球は、遊技領域８の最下端部に設けられたアウト口１６から遊技盤７の裏面側に排出されるようになっている。なお、後述するように、始動入賞口１１，１２とアタッカ装置１５は一つの部品に集約されてアタッカユニット１７を構成している。
【００１８】
本体枠２の右側枠部にはシリンダ錠１８ａを有する施錠装置１８が設置されており、図示省略されているが、この施錠装置１８は本体枠２の裏面に配置された後部施錠杆と本体枠２の前面に配置された前部施錠杆とを備えている。常態では、施錠装置１８の後部施錠杆によって機枠１に対して本体枠２が施錠されると共に、前部施錠杆によって本体枠２に対して前面扉３が施錠されている。そして、シリンダ錠１８ａの鍵穴に図示せぬ鍵を差し込み、この鍵を一方向（例えば時計回り）へ回動すると、後部施錠杆が下動して本体枠２が開錠されるようになっている。また、シリンダ錠１８ａの鍵穴に差し込んだ鍵を他方向（反時計回り）へ回動すると、前部施錠杆が上動して前面扉３が開錠されるようになっている。
【００１９】
前面扉３の左側枠部の上下両端には第２ピン（図示せず）が設けられており、これら両第２ピンを本体枠２の上下の軸孔（図示せず）に挿入することにより、前面扉３は本体枠２に対して開閉自在となっている。また、前面扉３には遊技盤の盤面に対向する大きな開口３ａが開設されており、この開口３ａは透明板４によって塞がれている。前面扉３の上部には比較的小型のスピーカ１９が左右に１個ずつ配設されており、これらスピーカ１９と前述した大型のスピーカ６とによって遊技に関する様々な効果音を発するようになっている。さらに、前面扉３の前面下部には、遊技盤の裏面に配設された賞球払出装置（後述する）から払い出された遊技球を収容する上段受皿２０と、上段受皿２０から排出された遊技球を収容する下段受皿２１とが設けられており、上段受皿２０の右側方には前述した発射装置の発射強度を調整するための発射ハンドル２２が配設されている。
【００２０】
図３に示すように、このパチンコ機の背面側には、遊技に関する主要な処理を行う主制御処理部２３と、主制御処理部２３からの指令を受けて表示装置やスピーカ等の各種装置を制御する副制御処理部２４と、上段受皿２０に対して所定数の遊技球を賞球として払い出す賞球払出装置２５と、主制御処理部２３からの指令を受けて賞球払出装置２５を制御する払出制御処理部２６と、発射ハンドル２２の回転操作量に応じて発射装置の作動を制御する発射制御処理部２７と、賞球数や大当たり回数等の各種情報を遊技場のホールコンピュータに出力する外部端子基板２８等が設けられている。主制御処理部２３は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２１】
図４〜図８に示すように、前記アタッカユニット１７は、箱形形状の筐体２９と、筐体２９の前面に固定された化粧板３０と、化粧板３０の下部に突設されたカバー部材３１等を備えており、このアタッカユニット１７に一対の始動入賞口１１，１２とアタッカ装置１５が一体的に設けられている。筐体２９は合成樹脂製の上ケース３２と下ケース３３とで構成されており、これら両ケース３２，３３はネジ止めにより一体化されている。図９に示すように、アタッカユニット１７は遊技盤７に切り欠かれた空所内に収納されており、化粧板３０の外縁部を遊技盤７の盤面にネジ止めすることにより、アタッカユニット１７はアウト口１６の真上位置で遊技盤７に固定されるようになっている。
【００２２】
上段側の始動入賞口１１は化粧板３０の上端部に配設されており、この始動入賞口１１に入った遊技球は遊技盤７を貫通する導通路１１ａを通ってアタッカユニット１７の後部側方へ排出される。下段側の始動入賞口１２は化粧板３０の中央部に配設されており、この始動入賞口１２に入った遊技球は筐体２９の内部を通って下ケース３３の底面中央に設けられた排出孔３３ａからアタッカユニット１７の下方へ排出される。前述したように、この始動入賞口１２は一対の可動片１２ａを有しており、これら可動片１２ａは化粧板３０の上部後方に取り付けられた第１の電磁ソレノイド３４を駆動源として開閉動作されるようになっている。
【００２３】
アタッカ装置１５は化粧板３０の下端部に配設されており、このアタッカ装置１５は大入賞口１５ａを開閉動作する開閉扉１５ｂを有している。大入賞口１５ａは横長矩形状の開口であり、この大入賞口１５ａに入った遊技球は筐体２９の内部を通って下ケース３３の底面に設けられた別の排出孔３３ｂからアタッカユニット１７の下方へ排出される。開閉扉１５ｂは第２の電磁ソレノイド３５を駆動源として開閉動作されるようになっており、第２の電磁ソレノイド３５は下ケース３３の底面隅部に取り付けられている。カバー部材３１は大入賞口１５ａの前方に対向配置された透明な板状体であり、これら大入賞口１５ａとカバー部材３１との間には遊技球の直径よりも大きめな隙間が確保されている。なお、化粧板３０の下縁中央部には切欠き３０ａが形成されており、アタッカユニット１７を遊技盤７に固定すると、この切欠き３０ａによってアウト口１６が画成されるようになっている。また、図示されていないが、導通路１１ａの出口に球検知センサが配置されると共に、筐体２９内の各排出孔３３ａ，３３ｂに通じる通路にもそれぞれ球検知センサが配置されており、これら球検知センサによって始動入賞口１１，１２と大入賞口１５ａに入賞した遊技球が検出されるようになっている。
【００２４】
図１０と図１１に示すように、下ケース３３の底面には設置部３６が設けられており、この設置部３６は化粧板３０に形成された切欠き３０ａの奥側に位置している。設置部３６は下ケース３３の底面に突設された第１規制壁３７と第２規制壁３８および一対のフック片３９で囲まれた収納凹所であり、この設置部３６に対して後述する検出センサ４０が着脱可能に取り付けられようになっている。第１規制壁３７と第２規制壁３８は設置部３６のコーナーに沿ってＬ字状に連続しており、これら規制壁３７，３８の高さ寸法は検出センサ４０の厚みよりも若干小さめに設定されている。アタッカユニット１７が遊技盤７に固定された状態において、第１規制壁３７はアウト口１６の内部上方で遊技盤７の盤面と平行な方向へ延びており、第２規制壁３８は第１規制壁３７の一端部から遊技盤７の盤面と直交する方向へ延びている。また、一対のフック片３９は設置部３６の後方位置に対向配置されており、これらフック片３９の先端には爪部３９ａが形成されている。
【００２５】
検出センサ４０はリードスイッチと呼ばれる直方体形状の磁気センサであり、磁石を用いたゴト行為、すなわち、前面扉３の透明板４に磁石を近付けて遊技領域８を流下する遊技球を始動入賞口１１等に直接誘導したり、遊技領域８内の所定箇所に多数の遊技球を集めて始動入賞口１１や大入賞口１５ａ等に入賞しやすくするといった遊技を阻害する不正行為が行われた場合に、この検出センサ４０によって透明板４に近付けられた磁石の磁力を検出するようにしている。検出センサ４０の内部には一対の強磁性体リード（図示せず）が接離可能に収納されており、これらリードに接続する引出線４０ａが検出センサ４０の一端面から導出されている。検出センサ４０を設置部３６に取り付ける場合は、図１２（ａ）に示すように、検出センサ４０を引出線４０ａの導出面を先頭に第１規制壁３７側から両フック片３９間に斜めに挿入すると、図１２（ｂ）に示すように、検出センサ４０の外壁面が第１規制壁３７と第２規制壁３８および両フック片３９で囲まれた収納凹所に嵌り込むため、検出センサ４０を設置部３６に対して簡単に取り付けることができる。なお、第１規制壁３７の端面（図１２の下面）は図示のごとく平坦になっていても良いが、第１規制壁３７の端面に設置部３６に向かって傾斜するテーパを付けておくと、テーパをガイド面として検出センサ４０を設置部３６にスムーズに取り付けることができる。
【００２６】
図５や図７，８に示すように、かかる検出センサ４０の取り付け状態において、検出センサ４０の長手方向の一端部側のコーナーが第１規制壁３７と第２規制壁３８に当接していると共に、検出センサ４０の長手方向の他端部側が両フック片３９の爪部３９ａに係止しており、一対のフック片３９が検出センサ４０の中心よりも第１規制壁３７から遠ざかる位置で検出センサ４０の設置部３６からの脱落を阻止するようになっている。このような構成により、設置部３６に取り付けられた検出センサ４０に指や爪等を引っ掛けることが難しくなるため、一旦取り付けた検出センサ４０を容易に取り外すことはできなくなる。なお、検出センサ４０を設置部３６から取り外してリユースする場合は、ニッパ等を用いてフック片３９を破断すれば良い。
【００２７】
特に、本実施形態例に係るパチンコ機では、設置部３６を構成する第１規制壁３７と第２規制壁３８および一対のフック片３９がアタッカ装置１５の外殻をなす筐体２９の底面（下ケース３３の底面）に設けてあり、このアタッカ装置１５を遊技領域８のアウト口１６の上方に配置すると共に、下ケース３３の底面をアウト口１６に連通させているため、アタッカ装置１５の開閉扉１５ｂを駆動する第２の電磁ソレノイド３５や、始動入賞口１２の可動片１２ａを駆動する第１の電磁ソレノイド３４からの磁力の影響を受け難い遠い位置に検出センサ４０（磁気センサ）を取り付けることができると共に、透明板４に近付けられた磁石の磁力を検出センサ４０によって精度良く検出することができる。
【００２８】
しかも、第１規制壁３７が遊技盤７の盤面と平行な姿勢でアウト口１６の入口に最も近い前方位置に配置されているため、遊技領域８を覆う透明板４の裏面に対して検出センサ４０の検出面を近付けて検出精度を高めることができると共に、不正行為を働こうとする者がアウト口１６から指や異物を挿入して検出センサ４０を取り外そうとしても、第１規制壁３７の存在によって検出センサ４０の取り外しを極めて困難にすることができる。
【００２９】
なお、上記実施形態例では、アタッカ装置１５の外殻をなす筐体２９の底面に設けた設置部３６に検出センサ４０を取り付ける場合について説明したが、同様の設置部３６を筐体２９の底面以外の部位に設けることも可能である。
【００３０】
また、上記実施形態例では、第２規制壁３８を第１規制壁３７の一端部にＬ字状に連続させているが、第１規制壁３７と第２規制壁３８は分離していても良い。また、一対の第２規制壁３８を第１規制壁３７の両端部から延出させ、これら両第２規制壁３８を検出センサ４０の長辺側の両端面に当接させるようにしても良い。
【００３１】
また、上記実施形態例では、不正行為（ゴト行為）による磁石の磁力を検知するために、検出センサ４０としての磁気センサを設置部３６に取り付ける場合について説明したが、体幹器や電波発射機等から発せられる不正信号を検出するために、検出センサ４０として磁気センサ以外の電波センサや振動センサ等を用いることも可能である。
【符号の説明】
【００３２】
１  機枠
２  本体枠
３  前面扉
４  透明板
７  遊技盤
８  遊技領域
１１，１２  始動入賞口
１２ａ  可動片
１５  アタッカ装置
１５ａ  大入賞口
１５ｂ  開閉扉
１６  アウト口
１７  アタッカユニット
２９  筐体
３０  化粧板
３０ａ  切欠き
３１  カバー部材
３２  上ケース
３３  下ケース
３３ａ，３３ｂ  排出孔
３４  第１の電磁ソレノイド
３５  第２の電磁ソレノイド
３６  設置部
３７  第１規制壁
３８  第２規制壁
３９  フック片
３９ａ  爪部
４０  検出センサ（磁気センサ）
４０ａ  引出線
【図１】
0005876362.tif 000002
【図２】
0005876362.tif 000003
【図３】
0005876362.tif 000004
【図４】
0005876362.tif 000005
【図５】
0005876362.tif 000006
【図６】
0005876362.tif 000007
【図７】
0005876362.tif 000008
【図８】
0005876362.tif 000009
【図９】
0005876362.tif 000010
【図１０】
0005876362.tif 000011
【図１１】
0005876362.tif 000012
【図１２】
0005876362.tif 000013